(57)【特許請求の範囲】
【請求項１】
餌を模した外観形状を成すルアー本体と、該ルアー本体にその回動支軸を中心に回動可能に取り付けられ、ルアー本体の泳動中に水から抵抗を受けるための水流抵抗体とを有する魚釣り用ルアーであって、
前記ルアー本体の前方へ向かう前記水流抵抗体の回動を許容しつつ前記水流抵抗体にその後側から当接して前記ルアー本体の後方へ向かう前記水流抵抗体の回動を規制する規制部を備え、
前記規制部は、前記ルアー本体の下面で前記ルアー本体の長手方向に沿って前後に移動することにより前記水流抵抗体との当接位置を前記ルアー本体の長手方向に沿って変えることができることを特徴とする魚釣り用ルアー。
【請求項２】
前記ルアー本体に対する前記規制部の位置を調整可能に固定する固定手段を更に備えることを特徴とする請求項１に記載の魚釣り用ルアー。
【発明の詳細な説明】
【技術分野】
【０００１】
本発明は、魚釣りで用いられる魚釣り用ルアーに関する。
【背景技術】
【０００２】
従来から、魚釣りで用いられるルアーは、魚等の餌に似せた形状に形成されており、また、釣り人は、ルアーを操作して餌に似せて動かすことにより魚を誘っている。例えば小魚に似せた一般的なルアーは、水中で腹部が下方、背部が上方となるような姿勢を取るべく形成され、この姿勢のまま泳動するようにルアーの前端側下方（腹部の前方側）に水流抵抗体（通称：リップ）が設けられている。
【０００３】
ところで、このようなルアーは、従来から、前記リップがルアー本体に対して固定されているタイプ（例えば、特許文献１参照）のものと、前記リップがルアー本体に対して回動できるタイプ（例えば、特許文献２参照）のものとがある。
【０００４】
特許文献１に開示されるようにリップがルアー本体に対して固定されているタイプのものでは、実釣時にルアーをキャストする（釣糸に結ばれたルアーを空中に投げる）と、ルアー本体から突出した状態のままのリップが空気抵抗を大きく受けて、飛行中のルアーの姿勢が不安定となる。そのため、キャストの方向性が定まらないばかりか、飛距離も伸びず、釣り人の狙ったポイントにルアーをうまく到達させることが難しくなる。
【０００５】
これに対し、特許文献２に開示されるルアーは、リップがルアー本体に対して回動できるため、ルアーをキャストすると、リップが空気抵抗を受けて回動し、その後は、リップが空気抵抗を受け難い（抑制する）状態のままルアーが飛行するため、飛行中のルアーの姿勢が比較的安定し、釣り人の狙ったポイントにルアーを比較的容易に到達させることができるようになる。
【先行技術文献】
【特許文献】
【０００６】
【特許文献１】特開２００８−１１３６２８号公報
【特許文献２】実用新案登録第３１６５３９１号
【発明の概要】
【発明が解決しようとする課題】
【０００７】
しかしながら、特許文献２に開示されるルアーは、ルアー本体の腹部に固設されたストッパによりリップのルアー本体尾部（ルアー本体の後部）への回動が規制され、リップが所定の範囲内でしか回動しないため、言い換えると、ルアー本体に対するリップの最大傾き角度（リップがルアー本体から最も大きく張り出した際にルアー本体の腹部に対してリップが成す角度）が固定されているため、着水時におけるルアーの泳動形態に限りがあり、釣況に応じてルアーの泳ぐ深さを変更することができない。一般に、対象魚によってはルアーの泳ぐ深さを変えて、フローティングタイプやシンキングタイプを使い分ける場合があるが、上記特許文献２のルアーだけではそのような場合に適応できない。
【０００８】
本発明は、前記事情に着目してなされたものであり、その目的とするところは、キャスト時に空気抵抗を抑制できるように且つ釣況に応じてルアーの泳ぐ深さを変更できるように水流抵抗体を備える魚釣り用ルアーを提供することにある。
【課題を解決するための手段】
【０００９】
前記課題を解決するために、本発明は、餌を模した外観形状を成すルアー本体と、該ルアー本体にその回動支軸を中心に回動可能に取り付けられ、ルアー本体の泳動中に水から抵抗を受けるための水流抵抗体とを有する魚釣り用ルアーであって、前記ルアー本体の前方へ向かう前記水流抵抗体の回動を許容しつつ前記水流抵抗体にその後側から当接して前記ルアー本体の後方へ向かう前記水流抵抗体の回動を規制する規制部を備え、前記規制部は、前記ルアー本体の下面で前記ルアー本体の長手方向に沿って前後に移動することにより前記水流抵抗体との当接位置を前記ルアー本体の長手方向に沿って変えることができることを特徴とする。
【００１０】
上記構成によれば、水流抵抗体がルアー本体に対して回動できるため、ルアーをキャストすると、水流抵抗体が空気抵抗を受けて回動し、その後は、水流抵抗体が空気抵抗を受け難い（抑制する）状態のままルアーが飛行する。そのため、飛行中のルアーの姿勢が安定し、釣り人の狙ったポイントにルアーを到達させることができるようになる。また、上記構成によれば、水流抵抗体と当接して水流抵抗体の回動を規制する規制部の当接位置をルアー本体の長手方向に沿って変えることができるため、水流抵抗体の回動範囲を幅広く変えることができ、すなわち、ルアー本体に対する水流抵抗体の最大傾き角度（水流抵抗体がルアー本体から最も大きく張り出した際にルアー本体に対して水流抵抗体が成す角度）を変えることができ、したがって、釣況に応じてルアーが水中で泳ぐ深さを変更することができる。
【００１１】
なお、上記構成において、ルアーは、ルアー本体に対する規制部の位置を調整可能に固定する固定手段を更に備えることが好ましい。これにより、ルアー本体に対する水流抵抗体の最大傾き角度を固定でき、ルアーを所望の状態で安定して泳動させることが可能になる。
【発明の効果】
【００１２】
本発明によれば、キャスト時に空気抵抗を抑制できるように且つ釣況に応じてルアーの泳ぐ深さを変更できるように水流抵抗体を備える魚釣り用ルアーを提供できる。
【図面の簡単な説明】
【００１３】
【図１】本発明の第１の実施形態に係る魚釣り用ルアーの側面図である。
【図２】図１のルアーをキャストした際に水流抵抗体が空気抵抗を受けて回動する状態を示す図１のルアーの要部拡大図である。
【図３】図１のルアーを着水させてルアーに結合される釣糸を引っ張った際に水流抵抗体が規制部に当接してその回動が規制される状態を示す図１のルアーの要部拡大図である。
【図４】図３の状態から規制部をルアー本体の前方へ移動させた状態を示す図１のルアーの要部拡大図である。
【図５】（ａ）は図１のルアーのルアー本体に対する水流抵抗体の取り付け形態を示す縦断面図、（ｂ）は水流抵抗体の側面図である。
【図６】（ａ）はルアー本体に対する水流抵抗体の取り付け形態の変形例を示す分解断面図、（ｂ）は水流抵抗体の側面図である。
【図７】図６の取り付け形態における一部断面を伴うルアーの側面図である。
【図８】ルアー本体に対する規制部の位置を調整可能に固定するための手段の第１の構成例を示す斜視図である。
【図９】ルアー本体に対する規制部の位置を調整可能に固定するための手段の第２の構成例を示す斜視図である。
【図１０】ルアー本体に対する規制部の位置を調整可能に固定するための手段の第３の構成例を示す斜視図であり、（ａ）は水流抵抗体と当接する規制部の当接位置をルアー本体の長手方向前方側に位置させた状態、（ｂ）は（ａ）の状態から規制部を回動させて水流抵抗体と当接する規制部の当接位置をルアー本体の長手方向後方側に位置させた状態をそれぞれ示している。
【図１１】図１０の規制部の変形例を示す平面図である。
【発明を実施するための形態】
【００１４】
以下、添付図面を参照して、本発明に係る魚釣り用ルアーの実施形態について説明する。
図１〜図５は本発明の第１の実施形態を示している。図１に示されるように、本実施形態の魚釣り用ルアー１は、魚を模した外観形状を成すルアー本体２と、ルアー本体２に回動可能に設けられ、ルアー本体２の泳動中に水から抵抗を受けるための水流抵抗体（通称：リップ）４とを有する。ルアー本体２は、水に対し浮力を有するように木材や合成樹脂により形成されており、魚の頭部に対応する前部２ａに釣糸５０を結合させるためのラインアイ１０を有し、また、魚の尾部に対応する後部２ｂおよび魚の腹部に対応する下部２ｃにそれぞれ釣針１１を着脱できる針係合部１２を有する。また、水流抵抗体４は、魚の腹部に対応するルアー本体２の下部２ｃの前側に回動支軸１５を中心に回動可能に取り付けられている。
【００１５】
ルアー本体２に対する水流抵抗体４の取り付け形態が図５に示されている。図示のように、ルアー本体２は、左右のルアー半体２Ａ，２Ｂを互いに接合することにより構成されており、各半体２Ａ，２Ｂの前部２ａの下側にはそれぞれ取り付け孔３０，３１が形成されている。そして、水流抵抗体４の上側取り付け端部を形成するＹ字型の取り付け部９０の両端に内側に屈曲して設けられた係合部４ａ，４ｂを対応する取り付け孔３０，３１に係脱可能に係止することにより、水流抵抗体４がルアー本体２に対して回動可能に取り付けられる。この取り付け状態では、取り付け孔３０，３１に係止される係合部４ａ，４ｂが水流抵抗体４のための回動支軸１５を形成する。
【００１６】
また、本実施形態の魚釣り用ルアー１は、水流抵抗体４と当接して水流抵抗体４の回動を規制する規制部２０を備えている。この場合、規制部２０は、ルアー本体２の後方（後部２ｂ側）へ向かう水流抵抗体４の回動を規制するように、水流抵抗体４の後側に位置されている。また、本実施形態の規制部２０は、水流抵抗体４と当接するそのテーパ状の当接面２０ａの位置（当接位置）をルアー本体２の長手方向に沿って変えることができるようになっている。特に本実施形態の規制部２０は、ルアー本体２の長手方向に沿って移動する（図１の矢印参照）ことにより水流抵抗体４との当接位置（当接面２０ａの位置）をルアー本体２の長手方向に沿って段階的に或いは連続的に変えることができるようになっている。この場合、ルアー本体２に対する規制部２０の位置を調整可能に固定する固定手段を設けることが好ましい。なお、規制部２０を移動させる構造および前記固定手段については後述する。
【００１７】
次に、上記構成の魚釣り用ルアー１の作用について説明する。
図２は、ルアー１をキャストしている状態を示している。このキャスト時には、ルアー１がその後部２ｂを前方（図中の矢印ａの方向）にして空中で飛ばされ、前部２ａのラインアイ１０に結合される釣糸５０が図示しないリールから繰り出される。また、このようにキャストすることにより、水流抵抗体４は、空気抵抗（図２の矢印ｂ参照）を受けてルアー本体２の前部２ａ側へと回動して（図２の矢印ｃ参照）、ルアー本体２の下部（腹部）２ｃと略平行な状態となり、その後は、水流抵抗体４が空気抵抗を受け難い（抑制する）状態（図２の実線の状態）のままルアー１が飛行する。そのため、飛行中のルアー１の姿勢が安定し（キャストの方向性が安定し）、釣り人の狙ったポイントにルアーを到達させることができるようになる。
【００１８】
図３は、キャスティングによってルアー１が所定のポイントで着水してラインアイ１に結合される釣糸５０が前方（矢印ｄの方向）へ引っ張られている状態を示している。この状態では、水流抵抗体４が水流（矢印ｅ参照）を受けてルアー本体２の後部２ｂ側へと回動し（矢印ｆ参照）、それにより、水流抵抗体４が規制部２０の当接面２０ａに当接する。したがって、後部２ｂ側への水流抵抗体４のそれ以上の回動が規制される。また、例えば釣況に応じてルアーの泳ぐ深さを変えたい場合には、ルアー１を一旦巻き上げて水中から回収し、図４に示されるように規制部２０を前後に移動させればよい（図４では、規制部２０を前方へ移動させている）。それにより、水流抵抗体４の回動範囲を変えることでき、その後のキャストによりルアー１を水中に投げ込んだ後のルアーの泳ぐ深さを先と異ならせることができる。
【００１９】
以上説明したように、本実施形態の魚釣り用ルアー１は、水流抵抗体４がルアー本体２に対して回動できるため、ルアー１をキャストすると、水流抵抗体４が空気抵抗を受けて回動し、その後は、水流抵抗体４が空気抵抗を受け難い（抑制する）状態のままルアー１が飛行する。そのため、飛行中のルアー１の姿勢が安定し、釣り人の狙ったポイントにルアー１を到達させることができるようになる。また、本実施形態によれば、水流抵抗体４と当接して水流抵抗体４の回動を規制する規制部２０の当接位置（当接面２０ａの位置）をルアー本体２の長手方向に沿って変えることができるため、水流抵抗体４の回動範囲を幅広く変えることができ、すなわち、ルアー本体２に対する水流抵抗体４の最大傾き角度（水流抵抗体４がルアー本体２から最も大きく張り出した際にルアー本体２に対して水流抵抗体が成す角度）を変えることができ、したがって、釣況に応じてルアーが水中で泳ぐ深さを変更することができる。
【００２０】
図６および図７は、ルアー本体２に対する水流抵抗体４の取り付け形態の変形例を示している。これらの図に示されるように、この変形例では、互いに接合されるルアー半体２Ａ，２Ｂ間で水流抵抗体４が挟持されて取り付けられるようになっている。具体的には、ルアー半体２Ａ，２Ｂ同士を接合すると、その合わせ部分に対応するルアー本体２の前側下部に、取り付け用の切り欠き部２１が形成されるようになっている。したがって、この切り欠き部２１内に水流抵抗体４の取り付け軸部４Ａを嵌め込み、その状態で、固定ボルト３５を一方の半体２Ａ側から軸部４Ａの貫通穴４ｃを通るように他方の半体２Ｂ側へとねじ込むことにより、ルアー本体２に対して水流抵抗体４を回動可能に取り付けることができる。この場合、固定ボルト３５は、その頭部３５ａが半体２Ａの大径穴２Ａａ内に嵌まり込み、その雄ネジ付きの軸部３５ｂが半体２Ｂの小径の雌ネジ穴２Ｂａに螺合されるようになっている。なお、この取り付け状態では、固定ボルト３５が水流抵抗体４のための回動支軸１５を形成する。
【００２１】
図８は、規制部２０を移動させるための構造およびルアー本体２に対する規制部２０の位置を調整可能に固定するための固定手段の第１の構成例を示している。図示のように、規制部２０は取り付け軸部２０ｂを有しており、この取り付け軸部２０ｂの上端面４０は、ルアー本体２の下部２ｃに形成される長穴６９を通じてルアー本体２内に臨んでいる。この場合、長穴６９は、ルアー本体２の長手方向に沿って所定の長さで延びている。また、ルアー本体２内に臨む規制部２０の取り付け軸部２０ｂの上端面４０には、バネ材から成る矩形のスライドガイド６２が取り付けられる。このスライドガイド６２は、一対のネジ５１，５２をスライドガイド６２の通孔９１，９２を通じて取り付け軸部２０ｂの上端面４０に形成される一対のネジ穴４１，４２にねじ込むことにより取り付けられ、その取り付け状態では、長穴６９を跨いで左右に延在してルアー本体２の下部２ｃの内面と対向する。そして、ルアー本体２の下部２ｃの内面と対向するスライドガイド６２の部位、具体的には、スライドガイド６２の４つの角部にはそれぞれ、下方に向けて（ルアー本体２の下部２ｃの内面へ向けて）凸状に湾曲するバネ片としての弾性係合部６３が形成され、これらの弾性係合部６３はルアー本体２の下部２ｃの内面に形成される凹凸面６０に係合する。この場合、凹凸面６０は、長穴６９に沿って凹凸を連続的に繰り返すように形成されており、その凹凸ピッチによってルアー本体２に対する規制部２０の位置を段階的に移動させて固定することができる。すなわち、規制部２０を長穴６９に沿って長手方向に移動させることにより、スライドガイド６２の弾性係合部６３と凹凸面６０との係脱が繰り返され、それにより、規制部２０を長穴６９の範囲内の任意の位置で固定できる。
【００２２】
図９は、規制部２０を移動させるための構造およびルアー本体２に対する規制部２０の位置を調整可能に固定するための固定手段の第２の構成例を示している。図示のように、この構成例では、ルアー本体２側の凹凸面８０がルアー本体２の下部２ｃの外面に形成されており、この凹凸面８０に対して規制部２０側のスライドガイド７５が弾性的に係合されるようになっている。具体的には、スライドガイド７５は、規制部２０の底面の取り付け溝７０に取り付けられる取り付け部７９と、取り付け部７９から凹凸面８０へ向けて延びるバネ片としての弾性係合部７８とから成り、取り付け部７９は、一対のネジ７３，７４を取り付け部７９の通孔７５ａ，７５ｂを通じて規制部２０の取り付け溝７０に形成される一対のネジ穴７１，７２にねじ込むことにより取り付けられ、その取り付け状態で、Ｕ字状に湾曲する弾性係合部７８が凹凸面８０の凹凸部間に弾力をもって係止する。したがって、規制部２０を凹凸面８０に沿って長手方向に移動させることにより、スライドガイド７５の弾性係合部７８と凹凸面８０との係脱が繰り返され、それにより、規制部２０を凹凸面８０の範囲内の任意の位置で固定できる。
【００２３】
ところで、前述した実施形態では、規制部２０が、ルアー本体２の長手方向に沿って移動することにより水流抵抗体４との当接位置（当接面２０ａの位置）をルアー本体２の長手方向に沿って段階的に或いは連続的に変えることができるようになっていたが、図１０に示される規制部２０は、ルアー本体２に対して回動することにより水流抵抗体４との当接位置をルアー本体２の長手方向に沿って変えることができる。具体的には、図１０に示される規制部２０は、前端および後端にそれぞれ当接面２０ａ，２０ａ’を有しており、規制部２０を１８０度回転させて水流抵抗体４と当接する当接面２０ａ，２０ａ’を前後で切り換えることにより、ルアー本体２に対する当接面２０ａ，２０ａ’の位置を２段階で調整できるようになっている。これを実現するため、規制部２０は、回動軸である固定ピン９８を規制部２０の貫通孔２０ｃを通じてルアー本体２側のネジ孔９０にねじ込むことによりルアー本体２に回動可能に取り付けられ、また、規制部２０の回動中心Ｏは規制部２０の長手方向の中心から一方側にオフセットして位置されている。すなわち、回動中心Ｏから一方側の当接面２０ａの端縁までの距離Ｌ１と回動中心Ｏから他方側の当接面２０ａ’の端縁までの距離Ｌ２とが異なる長さに設定されており（Ｌ１＞Ｌ２）、したがって、規制部２０は、図１０の（ａ）の取り付け状態では、その一方の当接面２０ａをルアー本体２の前側に位置付けることができ、また、図１０の（ａ）の状態から規制部２０を１８０度回転させた図１０の（ｂ）の取り付け状態では、その他方の当接面２０ａ’をルアー本体２の後側に位置付けることができる。なお、本実施形態では、固定ピン９８（規制部２０の回動支軸）の軸方向が水流抵抗体４の回動支軸１５の軸方向と略直交している。
【００２４】
図１１は図１０の規制部の変形例を示している。この変形例に係る規制部２０Ａは、八角形状に形成されており、特に、平面的に見て、辺ａ，ｂ，ｃ，ｄ（ａ＜ｂ＜ｃ＜ｄ）の長さが異なる４つの二等辺三角形を組み込んで成る八角形状を形成している。すなわち、規制部２０は、辺の長さが異なる４つの二等辺三角形のうちの一方の対、すなわち、２辺の長さがａの二等辺三角形１００と２辺の長さがｃの二等辺三角形１０２とをその頂点のうちの１つを合わせるように対向させるとともに、二等辺三角形の他方の対、すなわち、２辺の長さがｂの二等辺三角形１０４と２辺の長さがｄの二等辺三角形１０６とをその頂点のうちの１つを合わせるように対向させるように位置させ、これら４つの二等辺三角形１００，１０２，１０４，１０６同士の間に不等辺三角形１１０，１１１，１１２，１１３を位置させることにより八角形状を形成している。したがって、規制部２０を回動中心Ｏ周りに９０度ずつ回動させることにより、各二等辺三角形１００，１０２，１０４，１０６の１つの辺に対応する当接面２０ａ，２０ａ’，２０ａａ，２０ａａ’を選択的に水流抵抗体４のための当接面に設定することができる（当接面を４段階で切り換えられる）。
【００２５】
なお、本発明は、前述した実施形態に限定されず、その要旨を逸脱しない範囲で種々変形して実施できることは言うまでもない。例えば、前述した実施形態では、ルアー本体が魚を模した形状を成しているが、ルアー本体は、餌の形態であればどのような形状を成していても構わない。また、ルアー本体に対する規制部の位置を調整可能に固定する固定手段の構造も図８，９に示される構造に限定されず、任意の構造を採用できる。
【符号の説明】
【００２６】
１  魚釣り用ルアー
２  ルアー本体
４  水流抵抗体
２０  規制部
２０Ａ  規制部
【図１】
0005613616.tif 000002
【図２】
0005613616.tif 000003
【図３】
0005613616.tif 000004
【図４】
0005613616.tif 000005
【図５】
0005613616.tif 000006
【図６】
0005613616.tif 000007
【図７】
0005613616.tif 000008
【図８】
0005613616.tif 000009
【図９】
0005613616.tif 000010
【図１０】
0005613616.tif 000011
【図１１】
0005613616.tif 000012